【手続補正書】
【提出日】平成30年2月6日(2018.2.6)
【手続補正１】
【補正対象書類名】特許請求の範囲
【補正対象項目名】全文
【補正方法】変更
【補正の内容】
【特許請求の範囲】
【請求項１】
電気外科用器具のための連結システムにおいて、互いに噛み合うことが可能な第１及び第２コネクタであって、電気外科用ジェネレータと関連づけられた第１コネクタ、及び、前記電気外科用器具に関連づけられた第２コネクタを備え、前記第１及び第２コネクタは、それぞれ、少なくとも３つのコネクションコンポーネントを含み、前記第１コネクタの前記３つのコネクションコンポーネントのそれぞれは、前記第２コネクタの前記３つのコネクションコンポーネントのそれぞれと連結及び分離可能であり、第１のコネクションコンポーネント間が連結されると、それらが前記電気外科用ジェネレータからのＲＦエネルギーを前記電気外科用器具に出力でき、第２のコネクションコンポーネント間が連結されると、それらがイオン化可能ガスを前記電気外科用器具に供給でき、第３のコネクションコンポーネント間が連結されると、それらが前記電気外科用ジェネレータに前記電気外科用器具を識別させることができるように構成されており、前記第１及び第２コネクタが、それらが噛み合わされる場合に、前記第１及び第２のコネクションコンポーネント間が連結された後にのみ前記第３のコネクションコンポーネント間が連結されるように、設計されている、ことを特徴とする連結システム。
【請求項２】
前記第１コネクタの前記第３のコネクションコンポーネントが、前記第１コネクタの前記第１及び第２のコネクションコンポーネントの少なくとも一方に対して軸方向にセットバックしている、請求項１に記載の連結システム。
【請求項３】
前記第１コネクタの前記第３のコネクションコンポーネントが、前記第１コネクタの前記第１及び第２のコネクションコンポーネントの双方に対して軸方向にセットバックしている、請求項２に記載の連結システム。
【請求項４】
前記第２コネクタの前記第３のコネクションコンポーネントが、前記第２コネクタの前記第１及び第２のコネクションコンポーネントの少なくとも一方に対して軸方向にセットバックしている、請求項１から３のいずれか一項に記載の連結システム。
【請求項５】
前記第２コネクタの前記第３のコネクションコンポーネントが、前記第２コネクタの前記第１及び第２のコネクションコンポーネントの双方に対して軸方向にセットバックしている、請求項４に記載の連結システム。
【請求項６】
前記第１のコネクションコンポーネントの一方は、ピンを備え、前記第１のコネクションコンポーネントの他方は、当該ピンを収容するように適合されたソケットを備える、請求項１から５のいずれか一項に記載の連結システム。
【請求項７】
前記第３のコネクションコンポーネントの一方は、ピンを備え、前記第３のコネクションコンポーネントの他方は、当該ピンを収容するように適合されたソケットを備える、請求項１から６のいずれか一項に記載の連結システム。
【請求項８】
前記第２のコネクションコンポーネントの一方は、ノズルを備え、前記第２のコネクションコンポーネントの他方は、その内部に前記ノズルを収容できるチューブを備える、請求項１から７のいずれか一項に記載の連結システム。
【請求項９】
前記第１コネクタは、単一のハウジング内に収容された前記第１、第２及び第３のコネクションコンポーネントを含む、請求項１から８のいずれか一項に記載の連結システム。
【請求項１０】
前記第２コネクタは、単一のハウジング内に収容された前記第１、第２及び第３のコネクションコンポーネントを備える、請求項１から９のいずれか一項に記載の連結システム。
【請求項１１】
電気外科用ジェネレータ、イオン化可能ガス源、コントローラ及び電気外科用器具を備えた電気外科用システムであって、前記電気外科用ジェネレータは、ＲＦエネルギー源を含み、前記システムは、第１コネクタも含み、前記電気外科用器具は、第２コネクタを含み、前記第１及び第２コネクタは、それぞれ、少なくとも３つのコネクションコンポーネントを含み、前記第１コネクタの前記３つのコネクションコンポーネントのそれぞれは、前記第２コネクタの前記３つのコネクションコンポーネントのそれぞれと連結及び分離可能であり、第１のコネクションコンポーネント間が連結されると、前記電気外科用ジェネレータが前記ＲＦエネルギー源からのＲＦエネルギーを前記電気外科用器具に出力でき、第２のコネクションコンポーネント間が連結されると、前記イオン化可能ガス源がイオン化可能ガスを前記電気外科用器具に供給でき、第３のコネクションコンポーネント間が連結されると、前記コントローラが前記電気外科用器具を識別できるように構成されており、前記第１及び第２コネクタが、それらが噛み合わされる場合に、前記第１及び前記第２のコネクションコンポーネント間が連結された後にのみ前記第３のコネクションコンポーネント間が連結されように、設計されている、ことを特徴とする電気外科用システム。
【請求項１２】
前記コントローラが、前記コントローラが前記電気外科用器具の識別に成功するまで、ＲＦエネルギーの供給を禁止するように適合されている、請求項１１に記載の電気外科用システム。
【請求項１３】
前記コントローラが、前記コントローラが前記電気外科用器具の識別に成功するまで、イオン化可能ガスの供給を禁止するように適合されている、請求項１１又は１２に記載の電気外科用システム。
【請求項１４】
前記コントローラが、前記電気外科用ジェネレータ内に存在している、請求項１１から１３のいずれか一項に記載の電気外科用システム。
【請求項１５】
前記イオン化ガス源が、前記電気外科用ジェネレータ内に存在している、請求項１１から１４のいずれか一項に記載の電気外科用システム。
【請求項１６】
電気外科用ジェネレータ、イオン化可能ガス源、コントローラ及び電気外科用器具を備えた電気外科用システムであって、第１コネクタも含み、前記電気外科用ジェネレータが
ＲＦエネルギー源を含み、前記電気外科用器具が第２コネクタを含む電気外科用システムの動作方法であって、
前記第１及び第２コネクタを、噛み合わせるために向き合わせ、
前記第１及び第２コネクタのそれぞれの第３のコネクションコンポーネントが第３連結を形成する前に、前記第１及び第２コネクタの第１及び第２のコネクションコンポーネントのそれぞれが第１及び第２連結を形成するように、前記第１及び第２コネクタを噛み合わせ、
それぞれの第３のコネクションコンポーネントが連結された後、第３のコネクションコンポーネント間の前記第３連結経由で前記電気外科用器具を識別し、
前記電気外科用器具の識別に応じて、イオン化可能ガスを前記第２連結経由で前記イオン化可能ガス源から前記電気外科用器具に供給し、ＲＦエネルギーを前記第１連結経由で前記ＲＦエネルギー源から前記電気外科用器具に供給する
電気外科用システムの動作方法。
【手続補正２】
【補正対象書類名】明細書
【補正対象項目名】０００５
【補正方法】変更
【補正の内容】
【０００５】
従って、一つの側面において、電気外科用器具のための連結システムであり、互いに噛み合うことが可能な第１及び第２コネクタであって、電気外科用ジェネレータと関連づけられた第１コネクタ、及び、電気外科用器具に関連づけられた第２コネクタを備え、第１及び第２コネクタは、それぞれ、少なくとも３つのコネクションコンポーネントを含み、第１コネクタの３つのコネクションコンポーネントのそれぞれは、第２コネクタの３つのコネクションコンポーネントのそれぞれと連結及び分離可能であり、第１のコネクションコンポーネント間が連結されると、それらが電気外科用ジェネレータからのＲＦエネルギーを電気外科用器具に出力でき、第２のコネクションコンポーネント間が連結されると、それらがイオン化可能ガスを電気外科用器具に供給でき、第３のコネクションコンポーネント間が連結されると、それらが電気外科用ジェネレータに電気外科用器具を識別させることができるように構成されており、第１及び第２コネクタが、それらが噛み合わされる場合に、第１及び第２のコネクションコンポーネント間が連結された後にのみ第３のコネクションコンポーネント間が連結されるように、設計されている、ことを特徴とする連結システムが、提供される。
【手続補正３】
【補正対象書類名】明細書
【補正対象項目名】０００６
【補正方法】変更
【補正の内容】
【０００６】
第３のコネクションコンポーネントの提供は、電気外科用器具の電気外科用ジェネレータによる識別を可能とする。これは、器具内に存在するＥＥＰＲＯＭのような電子コンポーネントへの質問、器具内に存在するレジスターやキャパシターのような受動的な電気的識別コンポーネントを含む回路の完成等の様々な手段によって実現できる。どちらの方法を採用しても、第３のコネクションコンポーネントの連結は、器具の電気外科用ジェネレータによる識別を可能とする。
【手続補正４】
【補正対象書類名】明細書
【補正対象項目名】０００７
【補正方法】変更
【補正の内容】
【０００７】
第１及び第２のコネクションコンポーネント間が連結された後にのみ第３のコネクションコンポーネント間が連結されるようにコネクションコンポーネントが構成されているということは、ＲＦエネルギー及びイオン化可能ガスの供給用の接続が適切に確立されれば、器具が識別されることを意味する。このようにして、器具の識別に成功するまでＲＦエネルギー及びイオン化可能ガスの供給が禁止されるように、ジェネレータをプログラムすることが出来る。これは、イオン化可能ガスの接続が適切に確立される前にＲＦエネルギーが活性化される、逆にＲＦエネルギーの接続が適切に確立される前にイオン化可能ガスが供給される、といったような事態を回避できることを意味する。器具が識別されれば、第３のコネクションコンポーネント間が連結されていることを意味するし、ＲＦエネルギーおよびイオン化可能ガスの接続は、第３のコネクションコンポーネント間が連結される前に行われるのであるから、それらの接続が確立されていることを確信できる。
【手続補正５】
【補正対象書類名】明細書
【補正対象項目名】００１１
【補正方法】変更
【補正の内容】
【００１１】
本発明の実施形態は、さらに電気外科用システムにあり、当該電気外科用システムは、電気外科用ジェネレータ、イオン化可能ガス源、コントローラ及び電気外科用器具を備えた電気外科用システムであって、電気外科用ジェネレータは、ＲＦエネルギー源を含み、システムは、第１コネクタも含み、電気外科用器具は、第２コネクタを含み、第１及び第２コネクタは、それぞれ、少なくとも３つのコネクションコンポーネントを含み、第１コネクタの３つのコネクションコンポーネントのそれぞれは、第２コネクタの３つのコネクションコンポーネントのそれぞれと連結及び分離可能であり、第１のコネクションコンポーネント間が連結されると、電気外科用ジェネレータがＲＦエネルギー源からのＲＦエネルギーを電気外科用器具に出力でき、第２のコネクションコンポーネント間が連結されると、イオン化可能ガス源がイオン化可能ガスを電気外科用器具に供給でき、第３のコネクションコンポーネント間が連結されると、コントローラが電気外科用器具を識別できるように構成されており、第１及び第２コネクタが、それらが噛み合わされる場合に、第１及び第２のコネクションコンポーネント間が連結された後にのみ第３のコネクションコンポーネント間が連結されように、設計されている。
【手続補正６】
【補正対象書類名】明細書
【補正対象項目名】００１４
【補正方法】変更
【補正の内容】
【００１４】
別の側面において、本発明の幾つかの実施形態は、電気外科用ジェネレータ、イオン化可能ガス源、コントローラ及び電気外科用器具を備えた電気外科用システムであって、第１コネクタも含み、電気外科用ジェネレータがＲＦエネルギー源を含み、電気外科用器具が第２コネクタを含む電気外科用システムの動作方法であって、第１及び第２コネクタを、噛み合わせるために向き合わせ、第１及び第２コネクタのそれぞれの第３のコネクションコンポーネントが第３連結を形成する前に、第１及び第２コネクタの第１及び第２のコネクションコンポーネントのそれぞれが第１及び第２連結を形成するように、第１及び第２コネクタを噛み合わせ、それぞれの第３のコネクションコンポーネントが連結された後、第３のコネクションコンポーネント間の第３連結経由で電気外科用器具を識別し、電気外科用器具の識別に応じて、イオン化可能ガスを第２連結経由でイオン化可能ガス源から電気外科用器具に供給し、ＲＦエネルギーを第１連結経由でＲＦエネルギー源から電気外科用器具に供給する、電気外科用システムの動作方法も、提供する。
【手続補正７】
【補正対象書類名】明細書
【補正対象項目名】００２５
【補正方法】変更
【補正の内容】
【００２５】
上記した実施形態は、典型的なモノポーラＲＦシステムの場合のように、単一のＲＦピン１４とＲＦコンタクト１９とを有するものとして説明されている。
しかしながら、本発明の範囲を逸脱することなく、バイポーラＲＦシステム（第１及び第２のＲＦピン、第１及び第２のＲＦコンタクトを有するシステム）が利用され得ることを当業者なら理解するであろう。第１及び第２コネクタのそれぞれが、“少なくとも３つの”コネクションコンポーネントを備えるという認識は、モノポーラ、バイポーラＲＦシステムのどちらかを組み込むことを可能にする。